(57)【要約】【目的】使用済み携帯電話機に蓄積されているメモリ内容を電気的に破壊、抹消して、個人または企業のプライバシーを守る。【構成】本装置の中蓋表面に本装置の本体ケースに内蔵する高圧パルス発生回路ユニットからの出力端子の１つを中継端子として設け、それにコードつきの可動電極を接続する。その他の出力端子は複数個の固定電極として設置し。その取り付け位置は携帯電話機搭載レールの上にセットする各型式の携帯電話機に適合する位置に配置することを特徴とする。【選択図】図８
0003102714.tif 000002
【実用新案登録請求の範囲】
【請求項１】
本装置の本体ケースに内蔵する二組の高圧パルス発生回路ユニットからの出力端子のうちの１つを可動型電極の中継端子、他の出力端子を複数個の固定電極として本体ケース内部の中蓋表面に設置したことを特徴とする携帯型電子回路破壊装置。
【請求項２】
本装置の中蓋表面に携帯電話機をセットするための携帯電話機搭載レールを設けた請求項１記載の携帯型電子回路破壊装置。
【請求項３】
携帯電話機の外部接続端子に嵌合するコードつき可動電極をそなえた請求項１または２記載の携帯型電子回路破壊装置。
【考案の詳細な説明】
【技術分野】
【０００１】  この考案は、携帯電話機の販売取次店において、使用済み携帯電話機の電子回路を瞬時に破壊することにより、蓄積されているメモリ内容を容易に抹消することを特徴とする携帯型電子回路破壊装置に関するものである。
【背景技術】
【０００２】  従来、使用済み携帯電話機に蓄積されているメモリ内容の抹消は、次のような方法で行われていた。
（１）携帯電話機のボタン操作により、メモリ内容を個々に抹消するか、または情報グループごとに抹消する。
（２）携帯電話機のメモリ回路を破壊するために外部から物理的な力を加えて、携帯電話機を破壊しメモリ内容を抹消する。
（３）携帯電話機を液体に浸して電子回路を絶縁不良にしてメモリ内容を抹消する。
（４）携帯電話機の充電用端子に高電圧をかけ、充電回路を放電破壊して携帯電話機の機能を失わせる。
【考案の開示】
【考案が解決しようとする課題】
【０００３】従来の携帯電話機メモリ内容の抹消方法には、次のような欠点があった。
（イ）ボタン操作に時間がかかるほか、所有者にメモリ内容抹消行為が完全に行われているか否かという不安がある。
（ロ）解約又は機種変更時点まで所有者が利用していた携帯電話機を、所有していた人の面前で破壊することは、心情的に好ましくない。また破壊された物は産業廃棄物であり、この処理に手間がかかる。
（ハ）液体に浸しても電子回路が完全に絶縁不良の状態になるとは限らず、メモリ回路が完全に破壊されずに、メモリ内容が抹消されない不安がある。
（ニ）充電回路を破壊しても、電池を交換することにより携帯電話機の機能が復元することがある。
従来の方法には以上のような欠点があり、販売代理店において、所有していた人の面前で使用済み携帯電話機の電子回路を瞬時にしかも完全に破壊し、携帯電話機の機能を失わせ、メモリ内容を完全に抹消して所有していた人に安心感を与えるサービスが要求されていた。
【課題を解決するための手段】
【０００４】  本装置の本体ケースに内蔵する二組の高圧パルス発生回路ユニットからの出力端子の１つを可動型電極の中継端子，他の出力端子を複数個の固定電極として本体ケース内部の中蓋表面に設置し，使用時は本装置の上蓋を開け、使用済みの携帯電話機を、中蓋に設置してある携帯電話機搭載レールにセットし、本装置の中継端子と携帯電話機の外部接続端子間を可動電極のコードで接続する。次に上蓋を閉じ、主電源のＳＷをＯＮにしてメモリ内容を抹消する準備を完了する。この状態でスタートボタンを押すことにより、本装置に内蔵する高圧パルス発生回路から中蓋にある電極群および中継端子に高圧パルスが印加されて、固定電極群と可動電極間で放電をする。この結果、放電する電極の間にセットされた携帯電話機の電子回路を破壊してメモリ内容を抹消することができる。本考案は、以上のような構成よりなる携帯形電子回路破壊装置である。
【考案の効果】
【０００５】  企業および個人の所有している携帯電話機には、企業および個人のプライバシーに関する情報が大量に蓄積されている。この携帯電話機を解約または機種変更のため使用済みとなり、今まで所有していた携帯電話機の処理を販売取次店に依頼した時に、メモリ内容の抹消行為が不十分なために企業および個人のプライバシーに関する情報が残っている不安がある。従って本装置を販売取次店に常備しておき、携帯電話機を所有していた人の面前で瞬時にしかも完全に電子回路を破壊しメモリ内容を抹消してその結果を検証することにより、顧客が満足するサービスの提供ができる効果がある。
【実施例１】
【０００６】以下、本考案の実施例について説明する。
（ア）長方形箱状で正面上部の一部が内側に傾斜している本体ケース（１）の背面内側に高圧パルス発生回路ユニット（２０）、中間壁の内側に高圧パルス発生回路ユニット（２１）、中間壁の外側に制御回路ユニット（２２）を固定する。
（イ）本体ケース背面外側の右端に、本装置の電源であるＡＣ１００Ｖ受電用のＡＣコード（３）を配線し、本体ケース背面のヒューズ（６）、本体ケース右側面の主電源ＳＷ（５）をとおして制御回路ユニット（２２）に接続する。
（ウ）本体ケース上部に平板の中蓋（７）を固定し、その表面に固定電極Ａ（１０）、固定電極Ｂ１（１１）固定電極Ｂ２（１２）および中継端子（１３）を配置し、中蓋（７）の裏面から高圧パルス発生回路ユニット（２０）（２１）に配線する。
（エ）中蓋（７）の表面に暗室確認センサ（１４）上蓋開閉センサ（１５）および一対の携帯電話機搭載確認センサ（１６）を配置し、中蓋（７）の裏面から制御回路ユニット（２２）に配線する。
（オ）本体ケース（１）の正面の傾斜面右端に高圧発生回路を起動するスタートボタン（４）を設け制御回路ユニット（２２）に配線する。
（カ）中蓋（７）の表面に一対の携帯電話機搭載レール（１７）を設け、この上にセットした携帯電話機（１８）が固定電極Ａ（１０）に容易に接するようにレールの固定電極Ａ（１０）側を水平面より下げて傾斜をつける。なお、固定電極Ａ（１０）は携帯電話機（１８）の位置決めストッパーの機能も兼ねている。
（キ）可動電極Ｃ（８）は付属コードの接続プラグ（９）を中継端子（１３）に挿入して、可動型の電極として携帯電話機（１８）の外部接続端子（１９）に接続することを目的とするものである。
（ク）本体上蓋（２）は本体ケース（１）と蝶番で接続され開閉ができ、その表面に上蓋（２）開閉用取っ手をつける。
以上が本案の第一実施例である。
使用済み携帯電話機（１８）に蓄積されているメモリ内容を抹消するときは、本装置の本体上蓋（２）を開け、携帯電話機（１８）を携帯電話機搭載レール（１７）に沿わしてセットし、可動電極Ｃ（８）の付属コードについているプラグ（９）を中継端子（１３）に挿入する。また可動電極Ｃ（８）を携帯電話機（１８）の携帯電話機外部接続端子（１９）に接続する。
この状態で携帯電話機（１８）は、携帯電話機搭載レール（１７）の傾斜により）固定電極Ａ（１０）に接触または近接する。また、固定電極Ｂ１（１１）、固定電極Ｂ２（１２）と携帯電話機（１８）のケースは自然に接触または近接する。
本体上蓋（２）を閉めて、主電源ＳＷ（５）をＯＮに入れメモリ内容抹消の準備は完了する。
各電極に高圧パルスが印加されるので、安全対策として暗室確認センサ（１４）、上蓋開閉センサ（１５）および携帯電話機搭載確認センサ（１６）が動作したことを電気的に回路が閉成されないと、スタートボタン（４）を押しても高圧パルス発生回路は動作しない。
携帯電話機（１８）の型式（ストレート型、二つ折り型）により携帯電話機（１８）内部の電子回路を放電破壊するポイント（位置）が異なるが、固定電極Ａ（１０）が携帯電話機（１８）の位置決めストッパーを兼ねているので、ここを基準点として固定電極群の配置位置を決めてある。従って放電破壊するポイントがずれることはない。
スタートボタン（４）を押すことにより高圧パルス発生回路ユニット（２０）（２１）および制御回路ユニット（２２）が動作して，最初に固定電極Ａ（１０）と可動電極Ｃ（８）の間で高圧パルスが放電する、次に固定電極Ｂ１（１１）固定電極Ｂ２（１２）と可動電極Ｃ（７）の間で同様に放電する。
従って操作する人が携帯電話機の型式により携帯電話機（１８）のセット位置および操作方法を判断する必要がなく、ただスタートボタン（４）を押すことにより携帯電話機の型式に関係なく、固定電極群（Ａ，Ｂ１，Ｂ２）と可動電極Ｃ（８）間の放電が可能である。この結果セットした携帯電話機（１８）に蓄積されているメモリ内容を抹消することができる。
この一連の放電のサイクルは二回繰り返して行われるので、蓄積されたメモリ内容を確実に抹消することができる。【０００７】  本実施例では複数の固定電極を第１５図の回路機能説明図（その１）のように２群に分け、各群ごとに可動電極との間に高電圧パルスを放電させる。
第１６図は複数の固定電極を個々の独立とした回路機能説明図（その２）であり、個々に可動電極との間に高圧パルスを放電させる第二実施例である。
第１７図は複数の電極を一群にまとめた回路機能説明図（その３）であり、まとめて可動電極との間に高圧パルスを放電させる第三実施例である。
【図面の簡単な説明】
【０００８】
【図１】本考案本体の平面図。
【図２】本考案本体の正面図。
【図３】本考案本体の斜視図。
【図４】可動電極組の平面図。
【図５】可動電極組の正面図。
【図６】中蓋の平面図。
【図７】Ａ−Ａ断面図。
【図８】携帯電話機搭載レール上にストレート型の携帯電話機をセットし、その外部接続端子に可動電極Ｃを接続した平面図。（上蓋略）
【図９】Ｂ−Ｂ断面図。
【図１０】携帯電話機搭載レール上に二つ折り型の携帯電話機をセットし、その外部接続端子に可動電極Ｃを接続した平面図。（上蓋略）
【図１１】携帯電話機搭載レール上に二つ折り型で外部接続端子が右側面についている携帯電話機をセットし、その外部接続端子に可動電極Ｃを接続した平面図。（上蓋略）
【図１２】ストレート型携帯電話機の外部接続端子の正面図。
【図１３】二つ折り型携帯電話機の外部接続端子の正面図。
【図１４】二つ折り型で右側面に外部接続端子がある携帯電話機の外部接続端子の正面図。
【図１５】複数の電極を二群に分けた回路機能説明図（その１）。
【図１６】複数の電極を個々に独立とした回路機能説明図（その２）。
【図１７】複数の電極を全て一群にまとめた回路機能説明図（その３）。
【図１８】Ｃ−Ｃ断面図。
【図１９】本体配線図。
【符号の説明】
【０００９】  １  本体ケース
２  本体上蓋
３  ＡＣコード
４  スタートボタン
５  主電源スイッチ
６  ヒューズ
７  中蓋
８  可動電極Ｃ
９  接続プラグ
１０  固定電極Ａ
１１  固定電極Ｂ１
１２  固定電極Ｂ２
１３  中継端子
１４  暗室確認センサ
１５  上蓋開閉センサ
１６  携帯電話機搭載確認センサ
１７  携帯電話機搭載レール
１８  携帯電話機
１９  携帯電話機外部接続端子
２０  高圧パルス発生回路ユニット（その１）
２１  高圧パルス発生回路ユニット（その２）
２２  制御回路ユニット
【図１】
0003102714.tif 000003
【図２】
0003102714.tif 000004
【図３】
0003102714.tif 000005
【図４】
0003102714.tif 000006
【図５】
0003102714.tif 000007
【図６】
0003102714.tif 000008
【図７】
0003102714.tif 000009
【図８】
0003102714.tif 000010
【図９】
0003102714.tif 000011
【図１０】
0003102714.tif 000012
【図１１】
0003102714.tif 000013
【図１２】
0003102714.tif 000014
【図１３】
0003102714.tif 000015
【図１４】
0003102714.tif 000016
【図１５】
0003102714.tif 000017
【図１６】
0003102714.tif 000018
【図１７】
0003102714.tif 000019
【図１８】
0003102714.tif 000020
【図１９】
0003102714.tif 000021